(57)【特許請求の範囲】
【請求項１】
用水路に設けられた通水口のフラップ板に装着されたフラップタンクは、上面には空気孔を設けてあり、底面には導水管を接続して導水管から水の出入りが自由になるようにしてある。一方、用水路側面の孔に繋げた導水管の出先端は二方向に分路し、一方をフラップタンクの導水管に接続し、他方を水田に設けられたボールタップに接続してある。ボールタップは水田水位の状態によって通水状態か又は止水状態を維持する弁である。水田水位が低下して下限に達するとボールタップが通水状態となって、フラップタンク内の水と用水路側面からの水を合わせて田面に排出する。フラップタンク内の水が減少して重量が減れば、通水口の水圧によってフラップ板は押し開かれて用水が通水口から田面に放出される。水田水位が上昇して上限に達するとボールタップは止水状態となり、用水路側面からの水はボールタップへは流れずにフラップタンクへ流入して、フラップタンクの重量が増加してフラップ板を押し下げ、ついには通水口を塞ぐと田面への放水は止まる。この一連の動作を繰り返すことによって水田水位を維持することを特徴とする水田用自動給水装置。
【請求項２】
フロート弁の上面には空気孔を設けてあり、底面中央付近には導水管を接続して導水管から水の出入りが自由になるようにしてある。フロート弁を自由に上下摺動できる状態にて収納したフロート室の底面に通水口を設け、用水路に連結した用水取入管の末端を上向きにして通水口の下部に結合せしめ、フロート室の下部外側には、フロート弁に十分な浮力が作用する高さまで立ち上げて用水を放出するようにした形状の用水放出管を設けてある。用水取入管の側面適所に導水管を接続してその他端を二方向に分路し、上記フロート弁の底面孔から用水取入管を抜けて外に出した導水管に一方を繋ぎ、他方を水田に設けられたボールタップに接続してある。ボールタップは水田水位の状態によって通水状態か又は止水状態を維持する弁である。水田水位が低下して下限に達するとボールタップが通水状態となって、フロート弁内の水と用水取入管側面からの水を合わせて田面に排出する。フロート弁内の水が減少して重量が減れば、フロート弁に作用する浮力と通水口の水圧とによってフロート弁は押し上げられ、用水は通水口からフロート室、用水放出管を通って田面に放出される。水田水位が上昇して上限に達するとボールタップは止水状態となり、用水取入管側面からの水はボールタップへは流れずにフロート弁へ流入して、フロート弁の重量が増加して降下し、ついには通水口に乗って塞ぐと田面への放水は止まる。この一連の動作を繰り返すことによって水田水位を維持することを特徴とする水田用自動給水装置。
【発明の詳細な説明】
【技術分野】
【０００１】  本発明は、用水路内の水を水田内に自動的に給水するための水田用自動給水装置に関する発明である。
【背景技術】
【０００２】  従来、水田より高い位置にある用水路から水田に水を引く場合、人が一日中水量を監視し流入口に板を差し込み水量を調節するか、又は電動若しくはエンジンを用いる水汲みポンプを使用し、水田の水量を調節していた。
【特許文献１】特開平０５−２５５９１８号公報
【特許文献２】特開平０７−０２３６７１号公報
【特許文献３】特開平０７−２０３７８０号公報
【特許文献４】特開平０９−０９４０３３号公報
【特許文献５】特開平０９−０９８６７８号公報
【特許文献６】特開平０９−１８７１７８号公報
【特許文献７】特開平０９−１８７１８０号公報
【特許文献８】特開平０９−２５２６６９号公報
【特許文献９】特開平１０−０１４４２０号公報
【特許文献１０】特開平１０−０１４４２１号公報
【特許文献１１】特開平１０−０３３０７２号公報
【特許文献１２】特開平１０−１９５８５６号公報
【特許文献１３】特開２０００−５０７５１号公報
【特許文献１４】特開２０００−１６６４０３号公報
【発明の開示】
【発明解決しようとする課題】
【０００３】  しかし、この作業は手間も時間も掛り、水田が分散している場合には特に大変な作業である、近時水田が細分化し分散している現状、更に農業人口の減少による人手不足も加わり問題が大きくなって居る。
この水田の水位の維持管理は、直接米の収穫量や品質にも大きな影響があるため、水位の維持管理は古来より重要なものとされ、そのため本問題解決が切望されていた。
上記したように水田の水位を保つに、例えば水位が低下し注水するときには、用水路より徐々に注水を行うと、その注水口付近の水温が長時間に亘って低温になり、稲の成育の妨げになる事が認められている、そのためには水位が低下すれば急速に注水して、長時間に亘る水温の低下を防ぎ適正な水位を保つ事が必要である
電動或いはエンジンによる水汲みポンプを利用する事も考えられるが、電気設備費、電気料金、燃料費等を考えると、あまりにも無駄が多く夜間には騒音問題も発生する。
そこで本発明は、用水路から水田に水を引くのに電気、燃料を使用せず生稲環境を汚すことがないと共に、設定した水位に正確に給水する水田用自動給水装置を提供することにある。
【課題を解決するための手段】
【０００４】  上記目的を達成するために、本発明の水田用自動給水装置は、用水路より水田に至る水路にフラップ板による開閉装置を設け、このフラップ板に水タンクを装着し、水タンク内に水を充満させて、その重量によりフラップ板を下げ水路を閉じる、開く場合は水タンク内の水を放出させることによりフラップ板を軽くして開ける。
フラップ板に装着された水タンク内に水を出し入れする作用は、水田にボールタップを装置し、このボールタップ内のバルブを、ボールタップのフロートの浮き沈みにより開閉させる、水田の水位が下がるとフロートが下がりボールタップのバルブが開かれフラップ板の水タンク内の水を放水させ、フラップ板は開かれる。
水田に水が給水され設定水位に達するとフロートも浮上しボールタップのバルブを閉じる、すると用水路に接続されたパイプを通じて用水路の水がフラップ板のタンクに流入し満水すると、その重量によりフラップ板が下がり、水田への給水が停止される、以上はフラップ板に装着したタンクにボールタップにより水を出し入れして水田の水位を維持する方式である。
【０００５】  用水路より水田に至る導水管の中に開閉弁を設け、この弁の弁体を円筒状のタンク形状にして底面を弁座として使用する、このタンク内に水を満たすと、その重量にて弁は閉じタンク内の水を排出するとタンクは浮上し、弁は開く、この弁の開閉により水田への給水は制御され設定水位に維持される、このタンク内に水を入れ、又水を出す仕組み作用は、前記のフラップ板に装着したタンク内に水を入れ、出す方式と全く同一である、本発明はこのようにボールタップのバルブ開閉によりタンクに水を出し入れして、タンクの重量変化によって水田の給水を自動制御し水位を維持することを特徴としている。
【発明の効果】
【０００６】  本発明は、以上説明したような構成であるから以下の効果が得られる、第一に、簡単な構造であるために故障することがなく永久的に使用することができ、製造コストも低廉である効果がある。第二に水田内に必要量の給水がされると自動的に停止するとともに、水田内の水が減ると自動的に給水がされるために、水田に給水する際に監視人を常駐させる必要がないので労力が大幅に削減できる効果がある。
【発明を実施するための最良の形態、実施例】
【０００７】  以下本発明を図面に基づき詳細に説明する、図１は本発明の一例を側面より見た断面図であって、１は用水路であって、水田４に補給するための用水２が流れている、用水路１の適宜箇所には通水口３が設けられており、この通水口３から出た用水２は水田４に給水される、５はフラップ板であって、通水口３を開閉するためのものであり、吊り下げ方式にて支持されており、開く側の側面にフラップタンク６が装着されている。
フラップタンク６の上部には空気抜き孔８が設けられており、底部には導水管Ｃ７が接続されている、フラップタンク６内に水が充満すると、その重量にてフラップ板５は下がり通水口３を閉鎖する、フラップタンク６内の水が外に排出されると、フラップタンク６は軽くなりフラップ板５は、フラップタンク６の浮力と用水２の圧力とにより、開かれ用水２が水田４に給水される。
【０００８】  ９はボールタップであって水田４に設置される、このボールタップ９はバルブ１０とフロート１１とにより構成されており、フロート１１の上下作動によりハルブ１０は開閉作動するように作られている、フロート１１は水田４の水面に浮上しているため水面が上昇又は下降することにより、フロート１１も上下動する、このフロート１１が上限に達したときが、水田４の給水停止水位であって、バルブ１０は閉の状態になる、水田４の水が減少しフロート１１が設定下限に下がると、バルブ１０は開の状態になる。
用水路１の底部に用水２を取り出すための導水管１３が挿入されている、この導水管１３の先端は二方に別れ、一端はバルブ１０に接続され、他の一端はフラップタンク６の底部に接続される、
【０００９】  水田４内の水が減少し水位が下がり、ボールタップ９のフロート１１が下限に達した場合、バルブ１０は開の状態になる、そしてフラップタンク６内の水は導水管Ｃ７を通り、更に導水管Ａ１２を通り、バルブ１０を通過して外に排出される、この場合、導水管Ｂ１３を通過して来る用水２の水も同時に排出されるが、水田４に排出されるため別段差支えはない。
フラップ板５に装着されたフラップタンク６内の水が排出されると、軽くなると共に浮力が生じ、且つフラップ板５は用水２の水圧おも受け、通水口３を開くことにより用水２を水田４に給水する。
【００１０】  水田４内に水が給水され設定水位に達すると、ボールタップ９のフロート１１は上限に浮き上がりバルブ１０を閉路する、そして、用水路１の底部に設けられた導水管Ｂ１３により取り出された用水２は導水管Ｃ７を通りフラップタンク６に注入される、この場合フラップタンク６内の空気は、空気抜き孔８により外部に排出される、この空気排出が終わると水が引き続き排出されるが、その量は僅かであり、水田４に流れ入るため、無駄にならない。
フラップタンク６内に水が充満すると、その重量によりフラップ板５は下がり用水路１の通水口３を閉口し水田４への給水を停止される。
本発明の実施条件としてボールタップ９及びフラップ板５は用水路１より低い位置でなければ作用しない、これは無動力の装置なるため当然の事であり欠点と言えない。
【００１１】  以下他の一例を図２に基づいて詳細に説明する、図２は他例の側面の断面図にして、水田４に装置されるボールタップ９の仕組み、作用は図１の場合のボールタップ９と全く同じである、このように図１の場合と同一の構成であり、同一の作用をする部品は、図１の場合と同じ名称、符号を付して説明する。
１４は用水取入管にして、用水路に流れる用水を取れ入れるために用水路の適宜箇所に設けられる、この用水取入管１４の末端は上方に向け通水口３を形成している、１６は円筒状のフロート弁にして底面が通水口３を塞ぐ方式になされている、フロート弁１６の底面には導水管Ｃ７が接続されており、フロート弁１６の上面には空気抜孔８が設けられている、フロート弁１６は図１の場合のフラップタンク６と作動原理は全く同一である。
【００１２】  １７はフロート室にして底部には通水口３が設けてられており、また底部には用水放出管１５が設けられており、常に水が満たされている。
水田４の水位が低下すると、その水田４に設けられたボールタップ９のフロート１１も下がりバルブ１０を開路の状態にする、すると用水取入管１４に接続された導水管Ｂ１３に流れる水は導水管Ａ１２の方向に進みバルブ１０を通過して外に放出される、この場合フロート弁１６内の水も導水管Ｃ７を通り、更に導水管Ａ１２及びバルブ１０を通過して外に放出される。
フロート弁１６内の水が排出されると、フロート弁１６は軽量になり浮上する、フロート弁１６はフロート室１７の中で浮き、沈むことにより通水口３を開閉する、フロート弁１６が浮上し通水口３が開かれると、用水取入管１４の水は通水口３を通過して用水放出管１５を通り水田４に給水される。
【００１３】  水田４の水位が上がり規定水位に達すると、ボールタップ９のフロート１１も上がりバルブ１０は閉路される、すると導水管Ｂ１３の水は導水管Ｃ７の方向に進路を変更し、フロート弁１６内に流入する、この際フロート弁１６内の空気は空気抜孔８より放出される、フロート弁１６内が満水すると空気抜孔８より水が放出されるが、少量であり又水田４に流入させることが容易であるから支障にならない。
フロート弁１６内に水が充満すると、フロート弁１６は浮力を失い沈み通水口３を閉塞し、水田４への給水を停止する。
本発明は以上詳記したようにボールタップ９のバルブ１０を開閉することによりフロート弁１６又はフラップタンク６に水を流入、流出させることを特徴、基本として構成されたもので、部品数が極めて少なく、そのため製作が容易で廉価にでき、故障の発生がなく、しかも無動力にて自動運転ができるものである。
本発明はこのような実施に何等限定されるものでなく、本発明の要旨を逸脱しない範囲において種々なる態様で実施し得るは勿論である。
【図面の簡単な説明】
【図１】本発明の水田用自動給水装置の一例の概略断面図である。
【図２】本発明の水田用自動給水装置の他例の概略断面図である。
【符号の説明】
１  用水路
２  用水
３  通水口
４  水田
５  フラップ板
６  フラップタンク
７  導水管Ｃ
８  空気抜孔
９  ボールタップ
１０  バルブ
１１  フロート
１２  導水管Ａ
１３  導水管Ｂ
１４  用水取入管
１５  用水放出管
１６  フロート弁
１７  フロート室
【図１】
0004598378.tif 000002
【図２】
0004598378.tif 000003